(57)【要約】【課題】モバイルバッテリをＵＳＢ充電端子の位置に合わせて壁や机等の側面に保持するための器具を提供する。【解決手段】モバイルバッテリを壁や机、テーブルの側面に保持するための器具であって、台座部１、カバー部２、櫛状部３およびスリット６から構成され、台座部１とカバー部２でモバイルバッテリを本器具に載せ、カバー部２は左右２つから構成され、カバ―部２の左右の間はスリット６により、ＵＳＢケーブルが通せるように構成され、ＵＳＢケーブルをモバイルバッテリに接続した状態で、モバイルバッテリのＵＳＢ接続端子の位置によって、上向きまたは下向きにモバイルバッテリを前記器具に載せることを可能とし、モバイルバッテリを使用していない状態では、ＵＳＢケーブルのコネクタ部を櫛状部３に引っ掛けることでケーブルの紛失、落下を防止することを特徴とする器具。【選択図】図１
2020177833.tif 000002
【特許請求の範囲】
【請求項１】
モバイルバッテリを壁や机、テーブルの側面に保持するための器具であって、台座部１、カバー部２、櫛状部３およびスリット６から構成され、台座部１とカバー部２でモバイルバッテリを本器具に載せ、カバー部２は左右２つから構成され、カバ―部２の左右の間はスリット６により、ＵＳＢケーブルが通せるように構成され、ＵＳＢケーブルをモバイルバッテリに接続した状態で、モバイルバッテリのＵＳＢ接続端子の位置によって、上向きまたは下向きにモバイルバッテリを前記器具に載せることを可能とし、モバイルバッテリを使用していない状態では、ＵＳＢケーブルのコネクタ部を櫛状部３に引っ掛けることでケーブルの紛失、落下を防止することを特徴とする器具。
【請求項２】
櫛状部３は斜め上方略４５度の複数の歯を有し、歯と歯の間隔は２ｍｍから４ｍｍの間である請求項１の器具。
【請求項３】
落下物が引っ掛からないようにカバー部２の上端が斜めにカットされている請求項１の器具。
【請求項４】
スリット６の正面から見た幅は１．５ｃｍから３ｃｍの間である請求項１の器具。
【請求項５】
ＵＳＢ変換コネクタ等を保持するための小物置き部４をさらに有する請求項１の器具。
【発明の詳細な説明】
【技術分野】
【０００１】
本発明はモバイルバッテリを壁や机、テーブルの側面に掛けて保管するための器具に関するものである。
【背景技術】
【０００２】
モバイルバッテリは充電の際にUSBケーブルや充電台を使いて机やテーブル、床の上に置いておくことが一般的である。モバイルバッテリは外出先で使用することが主で、充電以外で自宅で使用することは稀であるため、床の上等に放置されていると邪魔で危険でもある。モバイルバッテリは用途によって多種販売されており、長期外出時には２００００ｍＡｈといった大容量、大型のモバイルバッテリを使用し、普段は軽量コンパクトな３０００ｍＡｈ程度のモバイルバッテリを使用することが普通である。モバイルバッテリは大きさ、充電コネクタの位置がまちまちで、コネクタの形状もＵＳＢのタイプＣ、マイクロＢ、ライトニング、ミニＢなど多種使用されている。
しかし、モバイルバッテリを机やテーブル、床の上に置いておくため場所をとり、充電ケーブルが手足や他の物に引っ掛かり、機器本体が落下して傷つけたり、飲み物をこぼして機器の故障を招いたり、充電台やＵＳＢケーブルを損傷する場合があるという欠点がある。
【発明の概要】
【発明が解決しようとする課題】
【０００３】
モバイルバッテリはＵＳＢケーブルの位置が機器の上部、下部、左右などまちまちであり、機器の大きさもバッテリが大容量のものから小容量のものまで多様であり、これらに対応できる壁掛けの充電、保管器具は適当なものがない。
【課題を解決するための手段】
【０００４】
本発明は、多様なモバイルバッテリを壁に掛けることで机やテーブル、床の上の場所を取らないようにし、不使用時のケーブル、コネクタを引っ掛けるフック、台を持つことでケーブル等の散乱、紛失を抑える器具を提供する。
【発明の効果】
【０００５】
本発明により、壁にモバイルバッテリを掛けることができ、ケーブルや変換コネクタ等を安全に保管できるという利点がある。
【図面の簡単な説明】
【０００６】
【図１】図１は本発明の器具を正面から見た図である。
【図２】図２は本発明の器具を側面から見た図である。
【図３】図３は本発明の器具の底面（カバー部２の底）を示す図である。
【図４】図４は本発明の器具を使用した状態を正面から見た図である。
【図５】図５は本発明の器具を使用した状態を側面から見た図である。
【発明を実施するための形態】
【０００７】
図１は、本発明の器具を正面から見たものであり、台板部１、カバー部２、櫛状部３、小物置き部４、壁掛け穴５およびスリット６から構成される。
モバイルバッテリはスマホの横幅（６ｃｍ前後）からアイパッドのような端末幅１３ｃｍ前後を想定する。
台板部１は本器具全体を壁掛け穴６により壁等に固定し、モバイルバッテリ（１００グラムから３５０グラム程度）を保持するもので、板状のプラスチック、アルミ板等で構成する。
カバー部２は背面の台板部１と合わせてモバイルバッテリを載せるようにするもので、左右のカバー部２の間はスリット６で離れて設置される。このスリット６はモバイルバッテリに充電用のＵＳＢケーブルを挿したままでモバイルバッテリを設置、保持できるようにするものでスリットの幅はＵＳＢケーブルの太さ３ｍｍ以上であればよいが、使用のし易さからUSBコネクタの長辺の幅である１．５ｃｍ以上、小型のモバイルバッテリ（幅６ｃｍ程度）の端がスリット６に掛からないように３ｃｍ以下とするとよい。左右のカバー部２のスリット６側の上端の角は図では直角であるが、ＵＳＢケーブルが入りやすいように弧を描くように角を落とすとよい。
カバー部２の高さはＵＳＢコネクタがモバイルバッテリの側面（左右）にある場合でも、コネクタがカバー部２の外に出て、モバイルバッテリが安定して保持できるように、モバイルバッテリの高さの５０％前後の６ｃｍから９ｃｍとするとよい。このようにすることで、様々な大きさのモバイルバッテリをカバー部２と台板部１の間で安定して、落下しないように載せることができる。モバイルバッテリと本器具の接触点は基本的にカバー部２の底面だけであり、他の面はモバイルバッテリの置き方によって一部が緩く接触するだけである。櫛状部３は充電前または充電を終えて使用していないＵＳＢケーブルのコネクタ部を上向きに引っ掛けるように構成（図５参照）するもので、モバイルバッテリによって異なるコネクタ形状（タイプＡ，Ｂ，Ｃ、ミニ、マイクロ、ライトニング等）を使用することから複数のケーブルを保持できるように構成することが良い。
図１では４本の櫛状の歯で３か所にコネクタを引っ掛けることができる。櫛状の歯の長さを長くすれば１か所あたりに複数のケーブルコネクタを保持することができる。櫛状部３の歯は例えば略４５度上向きにすることで、自然に櫛の歯の奥にコネクタを保持することができ、ケーブルの落下を防止できる。櫛状部３の歯と歯の間隔はＵＳＢケーブルの太さ２ｍｍ〜４ｍｍの間であり、ＵＳＢコネクタ部の幅５ｍｍを超えないものとする。櫛状部３の歯の本数は４本に限らず複数あればよく、2本の歯でＵＳＢコネクタを保持するようにしてもよい。歯の角度は上向き４５度でなくともケーブルの落下を防止できればよく、例えば水平に向けた歯の先端に上向きの突起を設けることでも良い。図１では櫛状部３はカバー部２の正面に設置されているが、本器具の側面や台板１など、目的を達成できる範囲で配置してよい。小物置き部４は、ＵＳＢケーブルのコネクタが複数の形状が存在することに鑑み、マイクロＢをタイプＣ形状に変換する等の変換コネクタ類を保持するためのもので、使用していない時に小物を置くための小箱状のものである。壁掛け穴５は、本器具を部屋の壁や机、テーブルの側面等に引っ掛けて固定するためのもので、図１では穴は横に２つであるが、縦に２つや、長方形や正方形の形状、その他一般に知られる形状で固定するように構成しても良い。吸盤やネジ止め、石膏ボード用の固定具により固定することでも良い。  
図１では、カバー部２の幅、高さは同一で正面中央から２等分され、同一形状であるが、櫛状部３、小物置き部４の幅を増やため等、左右の幅や高さを異ならせてもよい。また、図１では櫛状部３、小物置き部４は、向かって左側としているが、右側に揃えたり、左右に分散、左右両方に設置することとしてもよい。
【０００８】
図２は本発明の器具を側面から見た図である。図２でカバ―部２の幅はスマホやアイパッドのような端末の厚さ（８ｍｍ前後）から大型のモバイルバッテリ（２．５ｃｍ前後）を想定する。カバー部２、小物置き部４は本器具のさらに上から本やカーテン等の物が落下してきたときに本器具に引っ掛かり本器具の破損に繋がらないように斜めに切ってもよい。図２では、右側下がりに約３０度傾斜させている。櫛状部３はケーブルのコネクタ部を保持するように図３では４５度上向きに歯を傾斜させている。
【０００９】
図３は本発明の器具を底面から見た図（カバー部２の底面）である。スリット６を図３のように奥を横幅を広くすることで、モバイルバッテリのＵＳＢ接続端子の位置が底面の中央からずれている場合でも、ＵＳＢコネクタケーブルを接続した状態で本器具に保持することができる。図３のスリット６の上側からＵＳＢコネクタケーブルを接続した状態のモバイルバッテリのケーブルを入れ、コネクタ部分をスリット６の奥に誘導する。
【００１０】
図４は本発明の器具にモバイルバッテリを搭載した状態を示した図である。モバイルバッテリは充電や放電に使用するＵＳＢコネクタの取付位置がまちまちで、機器の大きさも多様である。図４に示すようにモバイルバッテリの上下、左右いずれか、またはその複数にＵＳＢコネクタ端子口があっても本器具は対応することができる。モバイルバッテリは充電状態、異常を示すインジケータ（ＬＥＤや液晶ディスプレイ）がモバイルバッテリの上下、左右、表裏いずれかにあるため、それらが見えるように上下、左右を区別して設置することが必要である。
【００１１】
図５は本発明の器具をフックで壁に固定し、モバイルバッテリを搭載し、櫛状部３にＵＳＢケーブルを掛け、小物置き部４に変換コネクタを載せた状態を側面から見た図である。
【００１２】
以上説明したように本発明器具によりモバイルバッテリを壁等に保持することで説明したが、モバイルバッテリはスマートフォンと共に使用されることが多く、機器の大きさや形状もスマートフォンと共通するため、モバイルバッテリに変え（もしくはモバイルバッテリと共に）スマートフォンを本器具で壁等に保持するように使用することもできる。従って本願のモバイルバッテリはスマートフォンを除くものと理解されるべきでは無く、ＵＳＢで充電、放電する機器全般を示すものである。  
【産業上の利用可能性】
【００１３】
モバイルバッテリを室内の壁や机、テーブルの側面等に保持することで、場所の有効活用、ケーブル断線、機器落下等の事故の撲滅、機器紛失の減少、飲み物をこぼして機器を損傷すること、などを防止する効果が期待でき、生活向上に役立つ。
【符号の説明】
【００１４】
１    台板部１
２    カバー部２
３    櫛状部３
４    小物置き部４
５    壁掛け穴５
６    スリット６
【図１】
2020177833.tif 000003
【図２】
2020177833.tif 000004
【図３】
2020177833.tif 000005
【図４】
2020177833.tif 000006
【図５】
2020177833.tif 000007